(57)【要約】【課題】符号化方式の異なる端末やメディアあるいは画面サイズの異なる端末での視聴に適した、擬似的な限定再生方式のコンテンツを迅速に作成することのできるコンテンツ作成装置を提供する。【解決手段】コンテンツ作成装置１２は、受信した限定再生方式のコンテンツＣに施されたスクランブルをデスクランブルして私的録画し、擬似的な限定再生方式のコンテンツとするためのリエンクリプト鍵により暗号化する。【選択図】図２
2008072250.tif 000002
【特許請求の範囲】
【請求項１】
スクランブルの施された限定受信方式の第１コンテンツを受信する第１受信部と、
受信した前記第１コンテンツに施されたスクランブルをデスクランブルするデスクランブル部と、
デスクランブルした前記第１コンテンツを私的録画する私的録画部と、
前記第１コンテンツと少なくとも一部が同内容の限定再生方式の第２コンテンツをトランスコードして蓄積するための暗号鍵により、私的録画した前記第１コンテンツを暗号化する暗号化部と
を備えることを特徴とするコンテンツ作成装置。
【請求項２】
請求項１記載のコンテンツ作成装置であって、
前記第２コンテンツを受信する第２受信部と、
デスクランブルした前記第１コンテンツと、受信した前記第２コンテンツを一意に示すコンテンツ識別情報とを関連付ける制御部と
を備えることを特徴とするコンテンツ作成装置。
【請求項３】
請求項２記載のコンテンツ作成装置であって、
前記コンテンツ識別情報と関連付けられたメタデータを取得するメタデータ取得部
を備えることを特徴とするコンテンツ作成装置。
【請求項４】
請求項３記載のコンテンツ作成装置であって、
前記コンテンツ識別情報に基づいて、暗号化した前記第１コンテンツと取得した前記メタデータとを対応付けて蓄積する蓄積部
を備えることを特徴とするコンテンツ作成装置。
【請求項５】
請求項１乃至４のいずれか一項に記載のコンテンツ作成装置であって、
デスクランブルした前記第１コンテンツを、トランスコードするトランスコード部
を備えることを特徴とするコンテンツ作成装置。
【請求項６】
請求項２乃至５のいずれか一項に記載のコンテンツ作成装置であって、
前記制御部は、前記第２コンテンツを使用する権利を取得したことに応じて前記暗号鍵を生成又は取得し、
前記暗号化部は、前記暗号鍵が生成又は取得されたことに応じて、前記暗号鍵により、私的録画した前記第１コンテンツを暗号化する
ことを特徴とするコンテンツ作成装置。
【発明の詳細な説明】
【技術分野】
【０００１】
本発明は、限定再生方式のコンテンツを作成するコンテンツ作成装置に関する。
【背景技術】
【０００２】
デジタル放送されるコンテンツについてのアクセス制御方式として、限定受信方式と限定再生方式が知られている（例えば、非特許文献１、２及び３参照。）。
【０００３】
限定受信方式とは、コンテンツに施されたスクランブルを、受信した際にデスクランブルする方式をいう。デスクランブルされたコンテンツは、視聴することができ、さらに、ローカル暗号を施して記録（以下、「私的録画」という。）することができる。
【０００４】
限定再生方式とは、コンテンツに施されたスクランブルを、デスクランブルせずに記録媒体に記録し、再生時にその都度デスクランブルする方式である。限定再生方式で記録することを、「蓄積」という。限定再生方式を採用する放送方式として、サーバー型放送が提案されている。サーバー型放送では、コンテンツの内容やシーンの内容を示す情報である「メタデータ」を提供することで、視聴者は、シーン検索やダイジェスト視聴等をすることができる。
【０００５】
サーバー型放送に対応したコンテンツ作成装置は、蓄積されたコンテンツに基づいて、符号化方式の異なる端末やメディアあるいは画面サイズの異なる端末での視聴に適したコンテンツを作成することができる。視聴者は、限定再生方式で蓄積したコンテンツとしての利益を得つつ、携帯端末等により場所を選ばずに利用することができる。
【非特許文献１】「サーバー型放送における符号化、伝送及び蓄積制御方式標準規格」，ＡＲＩＢ ＳＴＤ−Ｂ３８，（社）電波産業会
【非特許文献２】「デジタル放送におけるアクセス制御方式」，ＡＲＩＢ ＳＴＤ−Ｂ２５，（社）電波産業会
【非特許文献３】「サーバー型放送技術資料（案）」、サーバー型放送運用規定作成プロジェクト、インターネット＜URL：http://www.server-p.jp／＞、［平成１８年８月３１日検索］
【発明の開示】
【発明が解決しようとする課題】
【０００６】
しかしながら、蓄積されたコンテンツに基づいて、符号化方式の異なる端末やメディアあるいは画面サイズの異なる端末での視聴に適したコンテンツを作成するためには、相当程度の時間を要する。具体的には、視聴者は、このようなコンテンツを作成する度に、蓄積されたコンテンツが、少なくとも、デスクランブル、トランスコード（符号化方式等の変換）、リエンクリプト（暗号化）されるのを待つ必要がある。
【０００７】
このように、従来のサーバー型放送に対応したコンテンツ作成装置では、符号化方式の異なる端末やメディアあるいは画面サイズの異なる端末での視聴に適したコンテンツを、視聴者に迅速に提供することができないという問題があった。
【０００８】
そこで、本発明は、上記の問題に鑑みてなされたものであり、符号化方式の異なる端末やメディアあるいは画面サイズの異なる端末での視聴に適した、擬似的な限定再生方式のコンテンツを迅速に作成することのできるコンテンツ作成装置を提供することを目的とする。
【課題を解決するための手段】
【０００９】
本発明の第１の特徴に係るコンテンツ作成装置は、スクランブルの施された限定受信方式の第１コンテンツを受信する第１受信部と、受信した前記第１コンテンツに施されたスクランブルをデスクランブルするデスクランブル部と、デスクランブルした前記第１コンテンツを私的録画する私的録画部と、前記第１コンテンツと少なくとも一部が同内容の限定再生方式の第２コンテンツをトランスコードして蓄積するための暗号鍵により、私的録画した前記第１コンテンツを暗号化する暗号化部とを備えることを要旨とする。
【００１０】
本発明の第１の特徴に係るコンテンツ作成装置によると、デスクランブルした限定受信方式のコンテンツを、擬似的な限定再生方式のコンテンツとして扱うことができ、限定再生方式のコンテンツをデスクランブルする必要がないため、符号化方式の異なる端末やメディアあるいは画面サイズの異なる端末での視聴に適した、擬似的な限定再生方式のコンテンツを迅速に作成することができる。
【００１１】
本発明の第２の特徴は、前記第１の特徴に係り、受信した前記第１コンテンツと少なくとも一部が同内容の限定再生方式の第２コンテンツを受信する第２受信部と、デスクランブルした前記第１コンテンツと、受信した前記第２コンテンツを一意に示すコンテンツ識別情報とを関連付ける制御部とを備えることが好ましい。
【００１２】
本発明の第２の特徴に係るコンテンツ作成装置によると、限定受信方式のコンテンツを限定再生方式のコンテンツと関連付けることで、限定再生方式のコンテンツとして扱われる限定受信方式のコンテンツに対して、ＲＭＰＩ（Ｒｉｇｈｔ  Ｍａｎａｇｅｍｅｎｔ  ａｎｄ  Ｐｒｏｔｅｃｔｉｏｎ  Ｉｎｆｏｒｍａｔｉｏｎ）を利用したきめ細かい制御を行うことができる。
【００１３】
本発明の第３の特徴は、前記第２の特徴に係り、前記コンテンツ識別情報と関連付けられたメタデータを取得するメタデータ取得部を備えることが好ましい。
【００１４】
本発明の第３の特徴に係るコンテンツ作成装置によると、前記第1コンテンツと関連付けられた前記コンテンツ識別情報と関連付けられているメタデータを取得することができる。
【００１５】
本発明の第４の特徴は、前記第３の特徴に係り、前記コンテンツ識別情報に基づいて、暗号化した前記第１コンテンツと前記メタデータとを対応付けて蓄積する蓄積部を備えることが好ましい。
【００１６】
本発明の第４の特徴に係るコンテンツ作成装置によると、限定受信方式のコンテンツに基づく擬似的な限定再生方式のコンテンツと、限定再生方式のメタデータとを関連付けて蓄積できるため、視聴者の複製要求に迅速に対応することができる。
【００１７】
本発明の第５の特徴は、前記第１乃至４の特徴に係り、前記デスクランブルした第１コンテンツを、トランスコードするトランスコード部を備えることが好ましい。
【００１８】
本発明の第５の特徴に係るコンテンツ作成装置によると、トランスコードした限定受信方式のコンテンツを、擬似的な限定再生方式のコンテンツとして扱うことができ、限定再生方式のコンテンツをトランスコードする必要がないため、符号化方式の異なる端末やメディアあるいは画面サイズの異なる端末での視聴に適した、擬似的な限定再生方式のコンテンツをさらに迅速に作成することができる。
【００１９】
本発明の第６の特徴は、前記第２乃至５の特徴に係り、前記制御部は、前記第２コンテンツを使用する権利を取得したことに応じて前記暗号鍵を生成又は取得し、前記暗号化部は、前記暗号鍵が生成又は取得されたことに応じて、前記私的録画したコンテンツを、前記暗号鍵により暗号化することが好ましい。
【００２０】
本発明の第６の特徴に係るコンテンツ作成装置によると、視聴者の指示を介さず、限定受信方式のコンテンツを擬似的な限定再生方式のコンテンツとするための暗号化がなされるため、符号化方式の異なる端末やメディアあるいは画面サイズの異なる端末での視聴に適した、擬似的な限定再生方式のコンテンツをさらに迅速に作成することができる。
【発明の効果】
【００２１】
本発明によれば、符号化方式の異なる端末やメディアあるいは画面サイズの異なる端末での視聴に適した、擬似的な限定再生方式のコンテンツを迅速に作成することのできるコンテンツ作成装置を提供することができる。
【発明を実施するための最良の形態】
【００２２】
次に、図面を用いて、本発明の実施の形態を説明する。以下の図面の記載において、同一又は類似の部分には、同一又は類似の符号を付している。
【００２３】
図１を用いてシステム全体の概要を説明し、次いで本発明の実施形態について詳細に説明する。
【００２４】
＜概要＞
放送局１０は、限定受信方式及び限定再生方式により、少なくとも一部が同じ内容のデジタルコンテンツを、それぞれ有線伝送又は無線伝送する。
【００２５】
コンテンツ作成装置１２は、デジタルコンテンツを受信して、所望のコンテンツを作成する。
【００２６】
限定受信方式とは、コンテンツに施されたスクランブルを、受信した際にデスクランブルする方式をいう。
【００２７】
これに対して、限定再生方式とは、コンテンツに施されたスクランブルを、デスクランブルせずに記録媒体に記録し、再生時にその都度デスクランブルする方式である。本願明細書において、限定再生方式で記録することを「蓄積」といい、私的録画とは区別する。限定再生方式を採用する放送方式として、サーバー型放送が提案されている。サーバー型放送の伝送方式には、コンテンツの送信に要する時間とコンテンツを視聴するのに要する時間とが常に一致している「ストリーム型伝送方式」と、コンテンツの送信に要する時間とコンテンツを視聴するのに要する時間とが必ずしも一致しない「ファイル型伝送方式」との２種類が存在する。本実施形態では、コンテンツ及びメタデータは、ストリーム型伝送方式により伝送される。尚、サーバー型放送では、蓄積された限定再生方式のコンテンツの視聴許可ライセンスを取得した場合、トランスコード・リエンクリプトを施すことにより、符号化方式の異なる端末やメディアあるいは画面サイズの異なる端末での視聴に適した形式に変換できる。
【００２８】
サーバー型放送では、コンテンツの自動蓄積やダイジェスト視聴等を実現するための、コンテンツの内容を示すメタデータが提供される。メタデータは、限定再生方式のコンテンツにトランスコード・リエンクリプトを施した場合であっても利用することができる。
【００２９】
＜実施形態＞
本発明の実施形態に係るコンテンツ作成装置１２について、図２及び図３を用いて説明する。図３は、本発明に係るコンテンツ作成装置の主要な動作を示しており、図２とともに随時参照する。
【００３０】
図２に示すように、コンテンツ作成装置１２は、第１受信部２０と、第２受信部２１と、チューナ２２と、メタデータ取得部２３と、デスクランブル部２４と、Ｂ−ＣＡＳカード２５と、ＤｅｍｕｘＡ２６と、制御部２７と、トランスコード部２８と、ローカル暗号部３０と、私的録画部３２と、ローカル復号部３４と、暗号部３６と、ＤｅｍｕｘＢ４０と、蓄積部４２とを備える。
【００３１】
（受信処理）
図３のステップＳ１０１において、第１受信部２０は、スクランブルの施された限定受信方式のコンテンツＣが多重されたＲＦ（Ｒａｄｉｏ Ｆｒｅｑｕｅｎｃｙ）信号を受信する。本実施形態では、スクランブルの方式として“Ｍｕｌｔｉ２”が使用される。Ｍｕｌｔｉ２は、デジタルデータを暗号化する方式の一つであり、ＢＳデジタル放送や地上波デジタル放送などでも広く採用されている。
【００３２】
以下において、コンテンツＣは、ムービング・ピクチャ・エキスパート・グループ（ＭＰＥＧ）２−トランスポート・ストリーム（ＴＳ）規格に準拠して符号化及び多重化されているとして説明する。ＭＰＥＧ２−ＴＳ規格では、伝送されるコンテンツの映像及び音声等は、符号化されたエレメンタリ・ストリーム（ＥＳ）として生成され、ＥＳを意味のある単位毎にパケット化されたパケット化エレメンタリ・ストリーム（ＰＥＳ）が生成される。更に、ＰＥＳを分割したＴＳパケットが、放送局１０から伝送される。各ＴＳパケットのヘッダに１３ビットのパケット識別子（ＰＩＤ）を付与することにより、各ＴＳパケットが、コンテンツの映像データ、音声データ、制御データ等のいずれであるのか分類することができる。
【００３３】
ここで、制御データは、ＳＩ／ＰＳＩ（Ｓｅｒｖｉｃｅ  Ｉｎｆｏｒｍａｔｉｏｎ／Ｐｒｏｇｒａｍ  Ｓｐｅｃｉｆｉｃ  Ｉｎｆｏｒｍａｔｉｏｎ）と呼ばれるデータである。ＳＩ／ＰＳＩとは、ＰＡＴ（Ｐｒｏｇｒａｍ  Ａｓｓｏｃｉａｔｉｏｎ  Ｔａｂｌｅ）及びＰＭＴ（Ｐｒｏｇｒａｍ  Ｍａｐ  Ｔａｂｌｅ）等の各種のテーブルを意味する。ＳＩは、ＥＰＧ（Ｅｌｅｃｔｒｉｃ  Ｐｒｏｇｒａｍ  Ｇｕｉｄｅ）を作成するために必要な情報等を含み、ＰＳＩは、基本的な制御をするための情報を含む。ＰＡＴは、ＰＩＤの値が“０”であり、提供されるコンテンツの一覧を、コンテンツを示すＰＭＴのＰＩＤで示したテーブルである。ＰＡＴを参照することにより、所望のコンテンツのＰＭＴ（Ｐｒｏｇｒａｍ  Ｍａｐ  Ｔａｂｌｅ）が、どのようなＰＩＤにより伝送されているかを判別することができる。ＰＭＴは、あるコンテンツに含まれる映像パケット及び音声パケット等のＰＩＤを格納したテーブルである。ＰＭＴから映像パケット及び音声パケット等のＰＩＤを得ることにより、各ＰＩＤの付されたパケットを集めて元の映像、音声を記録、再生することができる。又、ＰＭＴには、スクランブルを解くためのスクランブル鍵を取得するために必要なＥＣＭ（Ｅｎｔｉｔｌｅｍｅｎｔ  Ｃｏｎｔｒｏｌ  Ｍｅｓｓａｇｅ）のＰＩＤが含まれている。ここで、本実施形態では、限定受信方式によるコンテンツのＰＭＴは、ＰＩＤ：０ｘ１０で伝送されおり、限定再生方式のコンテンツのＰＭＴは、ＰＩＤ：０ｘ２０で伝送されているものとする。
【００３４】
第２受信部２１は、放送局１０が伝送する、コンテンツＣと少なくとも一部が同内容の限定再生方式のコンテンツＣ´が多重されたＲＦ信号を受信する。スクランブルの方式としては、限定受信方式と同様に“Ｍｕｌｔｉ２”が使用されるものとする。
【００３５】
チューナ２２は、第１受信部２０及び第２受信部２１に接続され、視聴者から指定された所望のチャンネルに係るＲＦ信号を受信する。第１受信部２０及び第２受信部２１から入力されるそれぞれのＲＦ信号を復調し、誤り訂正等を行い、ＴＳパケットからなるＴＳ信号を出力する。
【００３６】
メタデータ取得部２３は、コンテンツＣと少なくとも一部が同内容の限定再生方式のコンテンツＣ´に係るメタデータＭを取得する。メタデータ取得部２３は、放送だけでなく通信等によってもメタデータを取得することができる。
【００３７】
ＤｅｍｕｘＡ２６は、ＰＩＤ：０ｘ００のセクション（ＰＡＴ）を取得し、制御部２７に通知する。
【００３８】
制御部２７は、通知されたＰＡＴに基づいて、限定受信方式のＰＭＴのＰＩＤと、限定再生方式のＰＭＴのＰＩＤとを解析する。
【００３９】
（コンテンツＣの私的録画処理）
以下、私的録画処理について説明する。
【００４０】
デスクランブル部２４は、コンテンツＣに係るＴＳ信号が入力されても動作せず、スクランブルの施されたＴＳ信号及びスクランブルされていないＴＳ信号のいずれも通過させる。
【００４１】
制御部２７は、ＤｅｍｕｘＡ２６が、限定受信方式のＰＭＴ（ＰＩＤ：０ｘ１０）を取得し、映像データ及び音声データを格納するＴＳパケットのみを通過させるよう制御する。
【００４２】
Ｂ−ＣＡＳカード２５は、着脱可能なＩＣカードである。Ｂ−ＣＡＳカード２５は、制御部２７から通知されるＥＣＭ−ＫｗのＰＩＤのセクションに基づき、コンテンツＣに施されたスクランブルをデスクランブルするためのスクランブル鍵を取出し、デスクランブル部２４に設定する。ＥＣＭ−Ｋｗとは、ワーク鍵で暗号化されたスクランブル鍵を伝送するための共通情報である。
【００４３】
ステップＳ１０３において、デスクランブル部２４は、設定されたスクランブル鍵を用いてコンテンツＣに施されたスクランブルをデスクランブルし、ＤｅｍｕｘＡ２６に伝送する。
【００４４】
ＤｅｍｕｘＡ２６は、デスクランブルされたコンテンツＣを映像パケット及び音声パケットの各ＴＳパケットに分離することなく、私的録画すべきＴＳパケットを選別する。
【００４５】
ステップＳ１０５において、トランスコード部２８は、ＭＰＥＧ―２フォーマットの映像データを、より情報圧縮比の高いＨ．２６４／ＭＰＥＧ―４ ＡＶＣフォーマットのストリームデータへ変換する。トランスコード部２８は、符号化方式及び解像度の変換を行うため、コンテンツＣは、低ビットレートに変更される。
【００４６】
ローカル暗号部３０は、トランスコードされたコンテンツＣのストリームデータにローカル暗号を施す。暗号化方式としては、例えば、ＡＥＳ（Ａｄｖａｎｃｅｄ Ｅｎｃｒｙｐｔｉｏｎ Ｓｔａｎｄａｒｄ）を採用することができる。
【００４７】
制御部２７は、第２受信部２１が受信したコンテンツＣ´を一意に示すコンテンツ識別情報を、ローカル暗号化されたコンテンツＣに付加する。コンテンツ識別情報は、統一した識別情報として、コンテンツＣを私的録画又は蓄積する際に使用することができる。
【００４８】
ステップＳ１０７において、私的録画部３２は、コンテンツＣに係る映像データを格納するＴＳパケットと、コンテンツＣに係る音声データを格納するＴＳパケットとについて、ＴＳパケット単位でタイムスタンプを付与して私的録画する。タイムスタンプを付与することにより、再生時にパケット間の時間間隔を同期させることができる。
【００４９】
以上によりコンテンツＣの私的録画処理が完了する。
【００５０】
（コンテンツＣ´及びメタデータＭの蓄積処理）
以下、蓄積処理について説明する。蓄積処理は私的録画処理と時間的に並行して行うことができる。
【００５１】
制御部２７は、ＤｅｍｕｘＢ４０が、ＰＩＤに基づき、限定再生方式のＰＭＴ（ＰＩＤ：０ｘ２０）を取得するよう制御する。制御部２７は、ＤｅｍｕｘＢ４０が、限定再生方式のＰＭＴに基づいて、コンテンツＣ´に係る映像データ及び音声データを格納するＴＳパケット、ＥＣＭ−Ｋｃ及びメタデータＭのみを通過させるよう制御する。ＥＣＭ−Ｋｃはコンテンツ鍵で暗号化されたスクランブル鍵を伝送するための共通情報である。
【００５２】
ＤｅｍｕｘＢ４０は、ＥＩＴ（Ｅｖｅｎｔ  Ｉｎｆｏｒｍａｔｉｏｎ  Ｔａｂｌｅ）を取得して、制御部２７に伝送する。ＥＩＴには、コンテンツＣ´の詳細情報及び放送時間などが記述されている。
【００５３】
制御部２７は、ＥＩＴから、カルーセル互換複合記述子を抽出し、さらにカルーセル互換複合記述子からＳｔｏｒｅ  Ｒｏｏｔ記述子を抽出する。Ｓｔｏｒｅ  Ｒｏｏｔ記述子は、コンテンツＣ´を一意に示すコンテンツ識別情報を含む。制御部２７は、コンテンツ識別情報に“ｃｒｉｄ：//”を付与して、ＣＲＩＤ（Ｃｏｎｔｅｎｔｓ  Ｒｅｆｅｒｅｎｃｅ  ＩＤ）形式に変換する。ＣＲＩＤは、ＴＶ−Ａｎｙｔｉｍｅ  Ｆｏｒｕｍが標準化したＴＶＡ−ＳＰ００４に示される。
【００５４】
蓄積部４２は、ＤｅｍｕｘＢ４０を通過したコンテンツＣ´に係る映像データ及び音声データを格納するＴＳパケットについて、ＴＳパケット単位でタイムスタンプを付与して蓄積する。タイムスタンプを付与することにより、再生時にパケット間の時間間隔を同期させることができる。蓄積部４２は、コンテンツＣ´及びメタデータＭを、前記ＣＲＩＤ形式のコンテンツ識別情報により対応付けて蓄積する。
【００５５】
（コンテンツＣの蓄積処理）
以下、制御部２７がコンテンツＣ´の視聴許可ライセンスを取得した場合における、コンテンツＣの蓄積処理について説明する。制御部２７がコンテンツＣ´の視聴許可ライセンスを取得する場合の例として、コンテンツＣ´が、既に購入済みのチャンネル単位課金方式に係るコンテンツである場合、視聴者により購買動作が行われた場合、無料コンテンツである場合などが挙げられる。
【００５６】
制御部２７は、視聴許可ライセンスを取得すると、視聴許可ライセンスの利用条件であるＲＭＰＩを参照し、トランスコード・リエンクリプトが許可されていることを確認する。トランスコード・リエンクリプトが許可されている場合、制御部２７は、Ｋｗ伝送用ＥＭＭから取得されるＫｗを用いて、ＥＣＭ−Ｋｃを復号しＫｃを取得するとともに、Ｋｃを用いてリエンクリプト鍵を生成する。リエンクリプト鍵は、限定再生方式のコンテンツＣ´をトランスコードして蓄積するための暗号化を施す暗号鍵である。尚、本実施形態では、制御部がリエンクリプト鍵を生成することとしたが、着脱可能なＩＣカード（Ｓ−ＣＡＳカード）等により生成させて取得してもよいし、通信等により取得することもできる。
【００５７】
ローカル復号部３４は、私的録画部３２に私的録画されているコンテンツＣの映像及び音声パケットをローカル復号する。ローカル復号されたコンテンツＣの映像及び音声パケットは、暗号化部３６に伝送される。
【００５８】
ステップ１０８において、暗号化部３６は、リエンクリプト鍵を制御部２７から取得し、当該リエンクリプト鍵により、コンテンツＣを暗号化し、擬似的な限定再生方式のコンテンツとする。暗号化部３６は、暗号化したコンテンツＣを蓄積部４２に伝送される。
【００５９】
このような、ライセンスの取得から暗号化までの一連の動作は、視聴者の指示を待たずに行うことができる。即ち、制御部２７は、コンテンツＣ´を使用する権利を取得したことに応じてリエンクリプト鍵を生成又は取得し、暗号化部３６は、リエンクリプト鍵が生成又は取得されたことに応じて、コンテンツＣをリエンクリプト鍵により暗号化する。
【００６０】
ステップ２０２において、蓄積部４２は、制御部２７からＣＲＩＤ形式のコンテンツ識別情報を取得し、これにより蓄積領域上の論理的な位置を特定し、コンテンツＣとメタデータＭとを対応付けて蓄積する。
【００６１】
ステップ２０４において、視聴者が、コンテンツＣ´を、脱着可能な記録媒体に複製するための操作を行った場合には、蓄積部４２は、コンテンツＣとメタデータＭとを複製して記録媒体に伝送する。
【００６２】
ここで、メタデータＭにスクランブルが施されており、デスクランブルする必要のある場合が考えられる。限定再生方式のスクランブルをデスクランブルするためのスクランブル鍵は、放送でのＥＭＭ（Ｅｎｔｉｔｌｅｍｅｎｔ Ｍａｎａｇｅｍｅｎｔ Ｍｅｓｓａｇｅ）又は通信により取得することができる。ＥＭＭとは、ストリーム型伝送方式によりスクランブルが施されたコンテンツＣ´やメタデータＭをデスクランブルするために必要となる情報（デスクランブルするための鍵等）のうち、コンテンツ作成装置（デジタル放送用受信装置）毎に内容が異なるものをいう。メタデータＭにスクランブルが施されている場合には、スクランブル鍵を用いてデスクランブルする必要がある一方、コンテンツＣは既に限定受信方式のコンテンツであるため、限定再生方式のデスクランブルをする必要はない。
【００６３】
（実施形態の変更例１）
上記実施形態では、コンテンツＣの蓄積処理を行っているが、コンテンツＣの蓄積処理は必ずしも行わなくてよい。本変更例１について、リエンクリプト鍵によるコンテンツＣの暗号処理、コンテンツＣ´及びメタデータＭの蓄積処理は完了したものとして、図４を用いて説明する。
【００６４】
本変更例１においても、ライセンスの取得から暗号化までの一連の動作は、視聴者の複製指示を待たずに行われる。この場合、暗号化部３６で暗号化されたコンテンツＣに再度ローカル暗号を施したうえで私的録画部３２に格納される。
【００６５】
視聴者の複製指示を待って、私的録画部３２は、ローカル復号部３４にリエンクリプト鍵により暗号化されたコンテンツＣを伝送する。
【００６６】
ローカル復号部３４は、コンテンツＣのローカル暗号を復号し、暗号化部３６に伝送する。
【００６７】
暗号化部３６は、コンテンツＣが既に暗号化されているため、再度暗号化することなく記録媒体に伝送する。
【００６８】
蓄積部４２は、メタデータＭを記録媒体に伝送する。コンテンツＣにはメタデータＭを一意に示すコンテンツ識別情報が付加されているため、記録媒体において、これらを組み合わせて利用することができる。
【００６９】
（実施形態の変更例２）
上記実施形態においては、メタデータＭの蓄積処理を行っているが、メタデータＭの蓄積処理は必ずしも行わなくてよい。
【００７０】
（実施形態の変更例３）
上記実施形態においては、コンテンツＣ´の蓄積処理を行っているが、コンテンツＣ´の蓄積処理は必ずしも行わなくてよい。
【００７１】
（実施形態の変更例４）
上記実施形態においては、コンテンツＣのトランスコード処理を行っているが、コンテンツＣのトランスコード処理は必ずしも行わなくてよい。
【００７２】
<作用及び効果>
従来のサーバー型放送に対応したコンテンツ作成装置（デジタル放送用受信装置）では、サーバー型放送に対応したコンテンツＣ´から、符号化方式の異なる端末やメディアあるいは画面サイズの異なる端末での視聴に適したコンテンツを作成する度に、コンテンツＣ´に対して、デスクランブル、トランスコード及び暗号化を施す必要があり、相当程度の時間を要した。
【００７３】
これに対し、本実施形態に係るコンテンツ作成装置１２にあっては、デスクランブルした限定受信方式のコンテンツＣを、サーバー型放送に対応したコンテンツと同等に扱うことができ、サーバー型放送に対応したコンテンツＣ´をデスクランブルする必要がないため、符号化方式の異なる端末やメディアあるいは画面サイズの異なる端末での視聴に適した擬似的な限定再生方式のコンテンツを、迅速に作成することができる。即ち、本発明では、コンテンツＣのローカル暗号及び復号にある程度の時間は要するが、コンテンツＣ´の複雑なデスクランブル処理に要する程の時間は要さず、符号化方式の異なる端末やメディアあるいは画面サイズの異なる端末での視聴に適した擬似的な限定再生方式のコンテンツを、迅速に提供することができる。
【００７４】
又、本実施形態に係るコンテンツ作成装置１２にあっては、限定受信方式のコンテンツを、サーバー型放送に対応したコンテンツと関連付けることで、擬似的な限定再生方式のコンテンツとして扱われる限定受信方式のコンテンツに対して、ＲＭＰＩを利用したきめ細かい制御を行うことができる。
【００７５】
又、本実施形態に係るコンテンツ作成装置１２にあっては、コンテンツＣ´のコンテンツ識別情報と関連付けられたメタデータを取得することにより、蓄積時及び携帯端末等において、コンテンツＣとともにメタデータＭを利用することができる。
【００７６】
又、本実施形態に係るコンテンツ作成装置１２にあっては、トランスコードした限定受信方式のコンテンツＣを、擬似的な限定再生方式のコンテンツとして扱うことができ、限定再生方式のコンテンツＣ´をトランスコードする必要がないため、符号化方式の異なる端末やメディアあるいは画面サイズの異なる端末での視聴に適した擬似的な限定再生方式のコンテンツを、さらに迅速に作成することができる。即ち、トランスコード・リエンクリプトの動作において、最も時間を要するトランスコード処理が完了するのを、視聴者は待つ必要がなくなる。
【００７７】
又、本実施形態によれば、視聴者の指示を介さず、限定受信方式のコンテンツを擬似的な限定再生方式のコンテンツとするための暗号化がなされるため、符号化方式の異なる端末やメディアあるいは画面サイズの異なる端末での視聴に適した擬似的な限定再生方式のコンテンツを、さらに迅速に作成することができる。
【００７８】
又、本実施形態において、コンテンツＣにトランスコードを施さない場合にあっては、コンテンツＣ´を蓄積せずに、視聴者の必要に応じてコンテンツＣを蓄積領域に伝送すればよいため、蓄積領域の有効利用が可能となる。
【００７９】
又、本実施形態において、大容量のコンテンツＣ´の蓄積処理を行わず、かつ、トランスコードを施した小容量のコンテンツＣとメタデータのみを蓄積する場合にあっては、蓄積領域の有効利用が可能となる。
【００８０】
以上より、本実施形態に係るコンテンツ作成装置によれば、符号化方式の異なる端末やメディアあるいは画面サイズの異なる端末での視聴に適した擬似的な限定再生方式のコンテンツを、迅速に作成することのできるコンテンツ作成装置を提供することができる。  
［その他の実施形態］
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００８１】
例えば、上記実施形態では、コンテンツ及びメタデータをストリーム型伝送方式により伝送されることとしたが、ファイル型伝送方式と混在してそれぞれが伝送されてもよい。
【００８２】
又、上記実施形態では、第１受信部２０及び第２受信部２１を用いたが、コンテンツが、ケーブルテレビ・ネットワーク又はインターネット等の公衆網により有線伝送される場合には、第１受信部２０及び第２受信部２１を不要とすることができる。又、第１受信部２０及び第２受信部２１を、一つの受信部とすることができる。
【００８３】
又、上記実施形態では、ＤｅｍｕｘＡ２６がＰＩＤ：０ｘ００のセクション（ＰＡＴ）を取得し制御部２７に通知することとしたが、ＤｅｍｕｘＢ４０を用いることもできる。又、ＤｅｍｕｘＡとＤｅｍｕｘＢとを、一つのＤｅｍｕｘとすることができる。
【００８４】
又、上記実施形態では、制御部２７は、ＤｅｍｕｘＡ２６が字幕データを格納するＴＳパケット等を通過するように制御してもよい。
【００８５】
又、上記実施形態では、コンテンツＣをＨ．２６４形式により私的録画するため、ＤｅｍｕｘＡ２６はＴＳ形式のまま選別しているが、ＰＳ（Ｐｒｏｇｒｕｍ  Ｓｔｒｅａｍ）形式により私的録画する場合には、ＤｅｍｕｘＡ２６がＴＳ形式をＰＳ形式に再構成してもよい。
【００８６】
又、上記実施形態では、トランスコード部２８は、私的録画する前にトランスコードを行っているが、私的録画した後の、ユーザーの操作により、又は、コンテンツ作成装置が稼動していない時に自動的に行われてもよい。
【００８７】
又、上記実施形態では、トランスコード部２８は、ＴＳ形式へのトランスコードを行うこととしたが、ＰＳ形式へのトランスコードを行ってもよい。又、トランスコード部２８は、映像データのみのトランスコードを行うこととしたが、音声データのサンプリングレート、符号化方式、ビットレート等を変更してもよい。又、トランスコード部２８は、コンテンツＣを複数の形式にトランスコードしておき、記録媒体に複製する際に選択できるようにされていてもよい。
【００８８】
又、上記実施形態では、ＤｅｍｕｘＢ４０は、字幕データを格納するＴＳパケット等を通過させるように制御されていてもよい。
【００８９】
又、上記実施形態では、脱着可能な記録媒体にコンテンツＣとメタデータＭとを複製することとしたが、有線又は無線伝送により他の機器に伝送されてもよい。
【図面の簡単な説明】
【００９０】
【図１】システム全体の概要を示す図である。
【図２】実施形態に係るコンテンツ作成装置の構成を示す図である。
【図３】実施形態に係るコンテンツ作成装置の動作を示す図である。
【図４】実施形態の変形例１に係るコンテンツ作成装置の構成を示す図である。
【符号の説明】
【００９１】
１０…放送局
１２…コンテンツ作成装置
２０…第１受信部
２１…第２受信部
２２…チューナ
２３…メタデータ取得部
２４…デスクランブル部
２５…Ｂ−ＣＡＳカード
２６…ＤｅｍｕｘＡ
２７…制御部
２８…トランスコード部
３０…ローカル暗号部
３２…私的録画部
３４…ローカル復号部
３６…暗号化部
４０…ＤｅｍｕｘＢ
４２…蓄積部
【図１】
2008072250.tif 000003
【図２】
2008072250.tif 000004
【図３】
2008072250.tif 000005
【図４】
2008072250.tif 000006